(57)【要約】【課題】ユーザにとって見やすくかつシステム情報が分かりやすく伝達できる待受画面を表示する携帯端末装置を提供する。【解決手段】携帯端末装置において、ユーザが設定した画像データを保持する画像データ保持手段と、前記画像データ保持手段にて前記ユーザが設定した画像の認識処理を行い、前記携帯端末装置のシステム情報の最適な位置、最適な大きさ、及び最適な色を決定する画像認識手段と、前記画像認識手段における決定結果に基づいて、最適な位置、最適な大きさ、及び最適な色に前記システム情報の合成処理を行う画像合成手段と、前記画像合成手段において生成された画像の表示を行う表示手段と、を備える。【選択図】図１
2008219110.tif 000002
【特許請求の範囲】
【請求項１】
携帯端末装置において、
ユーザが設定した画像データを保持する画像データ保持手段と、
前記画像データ保持手段にて前記ユーザが設定した画像の認識処理を行い、前記携帯端末装置のシステム情報の最適な位置、最適な大きさ、及び最適な色を決定する画像認識手段と、
前記画像認識手段における決定結果に基づいて、最適な位置、最適な大きさ、及び最適な色に前記システム情報の合成処理を行う画像合成手段と、
前記画像合成手段において生成された画像の表示を行う表示手段と、
を備えることを特徴とする携帯端末装置。
【請求項２】
請求項１に記載の携帯端末装置において、
前記画像認識手段は、前記画像内の空白領域又は空白に近い領域を特定し、
前記画像合成手段は、前記画像認識手段によって特定された空白領域又は空白に近い領域に前記システム情報を重ね合わせることを特徴とする携帯端末装置。
【請求項３】
請求項１又は２に記載の携帯端末装置において、
前記画像認識手段は、前記画像内の空白領域又は空白に近い領域と、該領域の大きさを特定し、
前記画像合成手段は、前記画像認識手段によって特定された空白領域又は空白に近い領域と該領域の大きさに前記システム情報を変更して重ね合わせることを特徴とする携帯端末装置。
【請求項４】
請求項１乃至３の何れか一項に記載の携帯端末装置において、
前記画像認識手段は、前記画像内の空白領域又は空白に近い領域と、該領域の色を特定し、
前記画像合成手段は、前記画像認識手段によって特定された空白領域又は空白に近い領域と該領域の色の対照色に前記システム情報を変更して重ね合わせることを特徴とする携帯端末装置。
【請求項５】
コンピュータを、請求項１乃至４の何れか一項に記載の携帯端末装置として機能させることを特徴とする画面表示プログラム。
【請求項６】
請求項５に記載の画面表示プログラムがコンピュータ読み取り可能に記録されていることを特徴とする記録媒体。
【発明の詳細な説明】
【技術分野】
【０００１】
本発明は、携帯端末装置の技術分野に関する。
【背景技術】
【０００２】
近年、携帯電話機やＰＤＡ等の携帯端末装置において液晶画面の高解像度化・高精細化が進んでいる。それに伴い、携帯端末装置の待受画面にユーザのお気に入りの画像を貼り付けて楽しむケースが増えている。携帯端末装置の待受画面はユーザが一番見ることの多い画面でありユーザが撮った写真やお気に入りの画像を張り付けて楽しむことができる。
【０００３】
しかし、パーソナルコンピュータ等に比べ画面が小さい携帯端末装置の待受画面は、時計や「電池残量」や「電波状態」を表すアイコン等の各種システム情報を画像の上に重ね合わせて表示する必要がある。
【０００４】
一般的にこれらのシステム情報は、ユーザが貼り付けた画像に重ね合わせる形で固定の位置に配置されるため、貼り付けた画像によっては顔等の画像内の重要部分にシステム情報が重なり、画面内の情報が見づらくなるという問題があった。
【０００５】
この問題に対応するために、予め時計やアイコン等のシステム情報の重なる位置を想定して、貼り付ける画像の構図を決定するという方法がある。
【０００６】
しかし、上記方法では、ユーザにとってお気に入りの画像をそのまま使用できないという問題点があった。
【０００７】
また、特許文献１に開示されているように、時計やアイコン等のシステム情報の位置をユーザが設定することにより変更可能とするという方法もある。これによりユーザは、自分が貼り付けた画像の構図に応じて最適なシステム情報の重ね合わせ位置を決定することができる利点があった。
【特許文献１】特開２００３‐００８６９４号公報
【発明の開示】
【発明が解決しようとする課題】
【０００８】
しかしながら、ユーザが複数の画像を切り替えて待受画面に貼り付けたい場合やランダムに複数の待受画面を切り替えて表示する機能を使用したい場合等複数の画像を切り替えて使用する場合には、画像ごとに設定を変更する必要があるためユーザへの負担が大きかった。
【０００９】
本発明は、上記の点を鑑みてなされたものであり、その課題の一例は、ユーザにとって見やすくかつシステム情報が分かりやすく伝達できる待受画面を表示する携帯端末装置を提供することである。
【課題を解決するための手段】
【００１０】
上記課題を解決するために、請求項１に記載の発明は、携帯端末装置において、ユーザが設定した画像データを保持する画像データ保持手段と、前記画像データ保持手段にて前記ユーザが設定した画像の認識処理を行い、前記携帯端末装置のシステム情報の最適な位置、最適な大きさ、及び最適な色を決定する画像認識手段と、前記画像認識手段における決定結果に基づいて、最適な位置、最適な大きさ、及び最適な色に前記システム情報の合成処理を行う画像合成手段と、前記画像合成手段において生成された画像の表示を行う表示手段と、を備えることを特徴とする。
【００１１】
請求項２に記載の発明は、請求項１に記載の携帯端末装置において、前記画像認識手段は、前記画像内の空白領域又は空白に近い領域を特定し、前記画像合成手段は、前記画像認識手段によって特定された空白領域又は空白に近い領域に前記システム情報を重ね合わせることを特徴とする。
【００１２】
請求項３に記載の発明は、請求項１又は２に記載の携帯端末装置において、前記画像認識手段は、前記画像内の空白領域又は空白に近い領域と、該領域の大きさを特定し、前記画像合成手段は、前記画像認識手段によって特定された空白領域又は空白に近い領域と該領域の大きさに前記システム情報を変更して重ね合わせることを特徴とする。
【００１３】
請求項４に記載の発明は、請求項１乃至３の何れか一項に記載の携帯端末装置において、前記画像認識手段は、前記画像内の空白領域又は空白に近い領域と、該領域の色を特定し、前記画像合成手段は、前記画像認識手段によって特定された空白領域又は空白に近い領域と該領域の色の対照色に前記システム情報を変更して重ね合わせることを特徴とする。
【００１４】
請求項５に記載の画面表示プログラムの発明は、コンピュータを、請求項１乃至４の何れか一項に記載の携帯端末装置として機能させることを特徴とする。
【００１５】
請求項６に記載の記録媒体の発明は、請求項５に記載の画面表示プログラムがコンピュータ読み取り可能に記録されていることを特徴とする。
【発明の効果】
【００１６】
本発明によれば、ユーザにとって見やすくかつシステム情報が分かりやすく伝達できる待受画面を表示するという効果を奏する。
【００１７】
また、本発明によれば、ユーザが設定した待受画面の構図に応じてシステム情報の重ね合わせの位置・大きさ・色を自動的に決定することにより、見やすい待受画面を表示することが可能であるという効果を奏する。
【発明を実施するための最良の形態】
【００１８】
以下、本発明の最良の実施形態について、添付図面に基づいて詳細に説明する。
【００１９】
先ず、本実施形態に係る携帯端末装置Ｓの構成及び機能について、図１に基づいて説明する。なお、図１は本実施形態に係る携帯端末装置Ｓの概要構成の一例を示す図である。
【００２０】
図１に示すように、本実施形態に係る携帯端末装置Ｓは、表示手段としての表示部１と、制御部２と、記憶部３とを備えて構成されている。
【００２１】
記憶部３は、ユーザが設定した画像データを保持する画像データ保持部３１（画像データ保持手段に相当）を備えて構成され、画像認識部２１に出力する。
【００２２】
制御部２は、演算機能を有するＣＰＵ、作業用ＲＡＭ、各種データやプログラムを記憶するＲＯＭ等を備えており、当該携帯端末装置Ｓにおける構成要素全体を統括制御するようになっている。そして、制御部２のＣＰＵが、例えばＲＯＭに記憶されたプログラム（本願発明の待受画面表示プログラムを含む）を読み出し実行することにより、本願発明の画像認識手段、及び画像合成手段等として機能するようになっている。
【００２３】
また、制御部２は、画像認識手段としての画像認識部２１と、画像合成手段としての画像合成部２２とを備えて構成されており、画像認識部２１は、画像データ保持部３１にてユーザが設定した画像の認識処理を行い、システム情報の最適な合成位置を決定し、当該システム情報の最適な合成位置に相当する情報を画像合成部２２に出力する。
【００２４】
また、画像合成部２２は、当該画像認識部２１における決定結果に基づいて適切な位置にシステム情報を合成処理を行い、当該画像合成処理された画像を表示部１に出力する。
【００２５】
表示部１は、画像合成部２２で生成された待受画面の表示を行う。
【００２６】
次に、本実施形態に係る携帯端末装置Ｓの待受画面作成時の動作について、図２及び３に基づいて説明する。なお、図２及び３は、本実施形態に係る携帯端末装置Ｓの待受画面作成時の処理イメージの一例を示す図である。
【００２７】
また、本実施形態においては、システム情報としてデジタル時計のみを重ね合わせているが、重ね合わせる情報については当該システムにより追加や変更等は可能である。更に、本実施形態における画像Ａ１、Ｂ１、Ｃ１、及びＤ１は、画像データ保持部３１に予め保持してあるものとする。
【００２８】
先ず、第１実施形態として、画像Ａ１はユーザが待受画面に貼り付ける設定を行った画像の一例を、図２に基づいて説明する。
【００２９】
携帯端末装置Ｓの待受画面として表示する場合には、画像Ａ１の上部に時計等のシステム情報を表示する必要があるため、その表示位置を決定するために画像認識部２１は画像Ａ１の画像認識処理を行う。この処理は、画像Ａ１の画像内でシステム情報を重ね合わせる最適の位置を決定するための処理である。
【００３０】
画像認識部２１の処理により、画像Ａ１の画像内の空白位置、即ち画像Ａ２の破線で囲まれた領域を特定する。なお、必ずしも完全な空白位置があるとは限らないが、その場合には最も空白に近い位置を特定する。
【００３１】
画像合成部２２は、画像Ａ２の破線で囲まれた位置、即ち画面上部に、時計やアイコン等のシステム情報を重ね合わせ、画像Ａ３を作成する。
【００３２】
最後にこのようにして作成された画像Ａ３を表示部１にて画面に表示する。
【００３３】
本実施形態によれば、画像認識部２１においてユーザが設定した画像内でシステム情報を重ね合わせるのに最適な位置を決定することによって、見やすい待受画面を表示することが可能となる。
【００３４】
次に、第２の実施形態として、ユーザにて設定された待受画像が画像Ｂ１である場合について、図２に基づいて説明する。
【００３５】
画像Ａ１の場合と同様に、画像認識部２１は、画像Ｂ１の画像認識処理を行う。
【００３６】
当該処理により、画像Ａ２の場合とは異なり、画像Ｂ２の下部が空白位置、即ち画像Ｂ２の破線で囲まれた領域として特定される。
【００３７】
その結果、最終的に待受画面に表示される画像は、画像Ｂ３のように画像の下部にシステム情報が表示されたものとなる。
【００３８】
本実施形態によれば、画像認識部２１においてユーザが設定した画像内でシステム情報を重ね合わせるのに最適な位置を決定することによって、見やすい待受画面を表示することが可能となる。
【００３９】
次に、第３の実施形態として、ユーザにて設定された待受画像が画像Ｃ１である場合について、図３に基づいて説明する。
【００４０】
第１及び２の実施形態においては、画像認識を行うことによって最適なシステム情報の重ねあわせ位置を決定しているが、第３の実施形態として、位置だけではなくシステム情報表示の大きさや色を変更させることも可能である。
【００４１】
図３において、画像Ｃ１を画像認識部２１で認識し、空白位置、即ち画像Ｃ２の破線で囲まれた領域を特定するが、画像Ａ２の場合よりも空白の領域が小さくなっている。
【００４２】
この場合、重ね合わせるシステム情報の大きさを変更して画像Ｃ３のように合成することによって見やすい待受画面を表示することが可能となる。
【００４３】
このように画像認識部２１での処理の結果、特定された空白領域の大きさに応じて合成するシステム情報の大きさを変更することも可能である。
【００４４】
更に、第４の実施形態として、ユーザにて設定された待受画像が画像Ｄ１である場合について、図３に基づいて説明する。
【００４５】
第４の実施形態は、画像認識部２１の処理として画像内の空白位置を特定するだけでなく、更に空白部分の色を特定する処理を追加することも可能である。
【００４６】
図３に示すように、画像Ｄ１を待受画面に貼り付けた場合を想定すると、画像認識部２１で処理した結果、画像Ｄ２の破線部分の領域が重ね合わせ位置として特定され、かつ領域内の色は黒と特定される。
【００４７】
それにより画像Ｄ３のようにシステム情報の重ね合わせの場合に合成するシステム情報の色を白色とすることで、より見やすい待受画面の表示を行うことが可能となる。
【００４８】
本実施形態によれば、画像認識部２１の処理において重ね合わせに最適な位置だけでなく、大きさや色も最適なものに変更することによって、より見やすい待受画面を表示することが可能となる。
【図面の簡単な説明】
【００４９】
【図１】本実施形態に係る携帯端末装置Ｓの概略構成の一例を示す図である。
【図２】本実施形態に係る携帯端末装置Ｓの待受画面作成時の処理イメージの一例を示す図である。
【図３】他の実施形態に係る携帯端末装置Ｓの待受画面作成時の処理イメージの一例を示す図である。
【符号の説明】
【００５０】
１  表示部
２  制御部
３  記憶部
２１  画像認識部
２２  画像合成部
３１  画像データ保持部
Ｓ  携帯端末装置
【図１】
2008219110.tif 000003
【図２】
2008219110.tif 000004
【図３】
2008219110.tif 000005